(57)【要約】【課題】人体の臀部のみを支えて吊る方式とすることで、構成、及び、使用者への装着作業を簡単にできる装着具を提供する。【解決手段】本発明に係る装着具１は、人体の臀部下側に宛がわれて人体を支持するための支持部材２と、支持部材の左右両側の端部から延長して人体の前側で連結される装着ベルト３と、支持部材の各端部にそれぞれ設けられて歩行支援装置と連結される連結部４，４とで構成されたことを特徴とする。【選択図】図１
2019080817.tif 000002
【特許請求の範囲】
【請求項１】
人体の臀部下側に宛がわれて人体を支持するための支持部材と、支持部材の左右両側の端部から延長して人体の前側で連結される装着ベルトと、支持部材の各端部にそれぞれ設けられて歩行支援装置と連結される連結部とで構成されたことを特徴とする装着具。
【請求項２】
支持部材は、人体の臀部下側と対向して人体を支持する板面を有した可撓性板状部材を備えたことを特徴とする請求項１に記載の装着具。
【請求項３】
臀部下側は、人体の臀部と脚との境界である臀溝を中心として臀溝近傍の臀部側及び脚側に跨った範囲であり、
可撓性板状部材は、臀部下側の全体を覆うように当該臀部下側に宛がわれるために、上下方向の長さが、臀溝を中心として臀溝近傍の臀部側及び脚側に跨った範囲の長さに対応した長さに形成されたことを特徴とする請求項２に記載の装着具。
【請求項４】
支持部材は、支持部材の外形を形成するとともに可撓性板状部材を覆うカバーを備え、
カバーは、左右方向の中央部に、人体の臀部下側を覆う衣服と接触して人体の臀部下側に宛がわれた支持部材の上下方向へのずれを抑制するための滑止部を備えたことを特徴とする請求項２又は請求項３のいずれか一項に記載の装着具。
【請求項５】
支持部材の左右の両端側に連結されるとともに、人体の胴部に巻き回されて装着される落下防止用装着ベルトを備えたことを特徴とする請求項１乃至請求項４のいずれか一項に記載の装着具。
【発明の詳細な説明】
【技術分野】
【０００１】
本発明は、歩行支援装置用の装着具に関する。
【背景技術】
【０００２】
図１１に従来の体重免荷式の歩行支援装置の一例を示す。当該体重免荷式の歩行支援装置１００は、支柱１０１、吊棒１０２、体重免荷装置１０３、調整ロープ１０４、巻取機構１０５、吊手段としての吊りロープ１０７、連結ロープ１０８を備え、吊棒１０２から吊り下げられた吊りロープ１０７の下端に装着具１１０が吊り下げられることにより、連結ロープ１０８、吊棒１０２、吊りロープ１０７を介して、体重免荷装置１０３による吊り上げ力が装着具１に加わる。従って、装着具１を装着した使用者Ａは、体重免荷装置１０３により、体重負荷が軽減された状態で歩行可能となる。
上述した装着具１１０として、股下が痛くならず、長時間の使用に耐えられるように構成された装着具が知られている（特許文献１参照）。
【先行技術文献】
【特許文献】
【０００３】
【特許文献１】特開２００７−２０２９４６号公報
【発明の概要】
【発明が解決しようとする課題】
【０００４】
しかしながら、特許文献１の装着具では、帯及びベルトによって使用者の尻と腰とを強固に拘束するために、帯部の表面側に、尻腰支持ベルト、尻支持ベルト、腰巻ベルト、股下ベルトといった多数のベルトが複雑に交錯した状態に設けられた複雑な構成となっているため、見栄えが悪いといった点や、尻と腰とを強固に拘束できるように各ベルトの長さを使用者に適合した長さに調節する作業が複雑になって、使用者に対する装着具の装着作業が大変であるといった点があった。
本発明は、上述した課題を解消すべく、人体の臀部のみを支えて吊る方式とすることで、構成、及び、使用者への装着作業を簡単にできる装着具を提供するものである。
【課題を解決するための手段】
【０００５】
本発明に係る装着具は、人体の臀部下側に宛がわれて人体を支持するための支持部材と、支持部材の左右両側の端部から延長して人体の前側で連結される装着ベルトと、支持部材の各端部にそれぞれ設けられて歩行支援装置と連結される連結部とで構成されたので、人体の臀部のみを支えて吊る方式となって、構成、及び、使用者への装着作業を簡単にできる装着具となる。
また、支持部材は、人体の臀部下側と対向して人体を支持する板面を有した可撓性板状部材を備えたので、可撓性板状部材の板面で人体の臀部下側を確実に支持できるようになる。
また、臀部下側は、人体の臀部と脚との境界である臀溝を中心として臀溝近傍の臀部側及び脚側に跨った範囲であり、可撓性板状部材は、臀部下側の全体を覆うように当該臀部下側に宛がわれるために、上下方向の長さが、臀溝を中心として臀溝近傍の臀部側及び脚側に跨った範囲の長さに対応した長さに形成されたので、可撓性板状部材が臀部下側に食い込み難くなり、長時間使用しても臀部が痛くならない装着具を実現できる。
また、支持部材は、支持部材の外形を形成するとともに可撓性板状部材を覆うカバーを備え、カバーは、左右方向の中央部に、人体の臀部下側を覆う衣服と接触して人体の臀部下側に宛がわれた支持部材の上下方向へのずれを抑制するための滑止部を備えたので、支持部材が臀部下側から外れてしまうことを防止でき、支持部材で臀部下側を安定に支持できるようになる。
また、支持部材の左右の両端側に連結されるとともに、人体の胴部に巻き回されて装着される落下防止用装着ベルトを備えたので、装着具が下方に落下してしまうことを防止できるようになる。
【図面の簡単な説明】
【０００６】
【図１】（ａ）は装着具を外面側から見た図、（ｂ）は装着具を内面側から見た図（実施形態１）。
【図２】支持部材の断面図（実施形態１）。
【図３】人が装着具を装着した状態を示す背面図（実施形態１）。
【図４】人が装着具を装着した状態を示す側面図（実施形態１）。
【図５】人が装着具を装着した状態を示す前面図（実施形態１）。
【図６】人が装着具を装着した状態を示す斜視図（実施形態１）。
【図７】人が装着具を装着した状態を示す前面図（実施形態２）。
【図８】人が装着具を装着した状態を示す斜視図（実施形態２）。
【図９】人が装着具を装着した状態を示す側面図（実施形態２）。
【図１０】人が装着具を装着した状態を示す背面図（実施形態２）。
【図１１】従来の歩行支援装置の一例を示す図。
【発明を実施するための形態】
【０００７】
実施形態１
図１に示すように、実施形態１に係る歩行支援装置用の装着具１は、人体Ｈの臀部Ｈ２のみを支えて吊る方式（図４参照）の装着具１であって、人体Ｈの臀部下側Ｈ１（図３参照）に宛がわれて人体Ｈを斜め下方から支持するための支持部材２と、支持部材２の左右両側（長手方向両側）の端部２１，２１から延長して人体Ｈの前側で連結される装着ベルト３と、支持部材２の各端部２１，２１にそれぞれ設けられて歩行支援装置１００（図１１参照）と連結される連結部４，４とで構成される。
【０００８】
図３に示すように、臀部下側Ｈ１とは、人体Ｈの臀部Ｈ２と脚Ｈ３との境界である臀溝Ｈ４を中心として臀溝Ｈ４近傍の臀部Ｈ２側及び脚Ｈ３側に跨った範囲を言い、支持部材２は、当該臀部下側Ｈ１の全体を覆うように当該臀部下側Ｈ１に宛がわれて人体Ｈを斜め下方から支持するものである（図４参照）。
臀部下側Ｈ１とは、例えば、具体的には、臀部Ｈ２と脚Ｈ３との境界である臀溝Ｈ４から臀部Ｈ２側に約７ｃｍだけ離れた位置と臀溝Ｈ４から脚Ｈ３側に約５ｃｍだけ離れた位置との間の領域を言う。
【０００９】
支持部材２は、臀部Ｈ２の左右方向に沿って長く、臀部Ｈ２の上下方向に沿って短い、帯状の可撓性板状部材２２と、支持部材２の外形を形成するとともに可撓性板状部材２２を覆うカバー２３と、を備えて構成される。
即ち、支持部材２は、カバー２３内に可撓性板状部材２２を内蔵した構成である。
【００１０】
帯状の可撓性板状部材２２は、カバー２３の大きさよりも一回り小さい大きさに形成された例えば厚さ１．０〜１．５ｍｍ程度の合成樹脂製等の板により形成され、板の板面が臀部下側Ｈ１に向かい合って当該臀部下側Ｈ１斜め下方から支えることができるように、カバー２３内に内蔵されている。
即ち、支持部材２は、人体Ｈの臀部下側Ｈ１と対向して人体Ｈを斜め下方から支持する板面を有した可撓性板状部材２２を備えている。
【００１１】
図３に示すように、帯状の可撓性板状部材２２は、臀部下側Ｈ１の全体を覆うように当該臀部下側Ｈ１に宛がわれるために、帯の幅方向の長さ（臀部Ｈ２の上下方向に対応する長さ）が、臀溝Ｈ４を中心として臀溝Ｈ４の近傍の臀部Ｈ２側及び脚Ｈ３側に跨った範囲の長さに対応した長さ１０ｃｍ程度に形成されるとともに、帯の長さ方向の長さ（臀部Ｈ２の左右方向に対応する長さ）が、人体Ｈの左の脚Ｈ３の付け根における左側部Ｈ５から臀部下側Ｈ１を経由して右の脚Ｈ３の付け根における右側部Ｈ６に至る長さに対応した長さに形成される。
【００１２】
カバー２３は、例えば、臀部下側Ｈ１に宛がわれる内面２４側が柔らかい材料で形成されており、内面２４とは反対側の外面２５側が内面２４側より硬い材料で形成されている。
即ち、内面２４側と外面２５側との間の内側空間である収容部に可撓性板状部材２２が収容され、外面２５側が外側から可撓性板状部材２２の外側の板面を支えることができるように内面２４側より硬い材料で形成され、かつ、人体Ｈの臀部下側Ｈ１を覆う衣服と接触する内面２４側が緩衝部となって、人体Ｈの臀部下側Ｈ１を覆う衣服と可撓性板状部材２２の内側の板面２２ｆとが直接接触しないように、内面２４側は、厚みのある比較的柔らかい生地で構成されている。
【００１３】
また、図１（ｂ）に示すように、臀部下側Ｈ１に宛がわれるカバー２３の内面２４における左右方向（可撓性板状部材２２の帯の長さ方向に対応した方向）の中央部が、エチレン・プロロピレン系ゴム、発砲ウレタンゴム等の滑り難い材料による滑止部２６に形成され、カバー２３の内面２４における当該中央部の左右側が、メッシュ生地等の通気性の良い材料による通気部２６ａ，２６ｂに形成されている。
即ち、臀部下側Ｈ１に宛がわれるカバー２３の内面２４は、中央部には、人体Ｈの臀部下側Ｈ１を覆う衣服と接触して人体Ｈの臀部下側Ｈ１に宛がわれた支持部材２の上下方向へのずれを抑制するための滑止部２６を備えるとともに、中央部を境界とした左右両側には、人体Ｈの臀部下側Ｈ１を覆う衣服と接触した状態で通気性を確保するための通気部２６ａ，２６ｂを備えている。
例えば、図２に示すように、臀部下側Ｈ１に宛がわれるカバー２３の内側部が比較的厚みのある柔らかいメッシュ生地等の通気性の良い材料により形成され、このカバー２３の内側部の左右方向の中央部の表面に、エチレン・プロロピレン系ゴム、発砲ウレタンゴム等の滑り難い材料による滑止部２６が形成されていることにより、カバー２３の内面２４における左右方向の中央部に滑止部２６が設けられるとともに、当該中央部の左右側に通気部２６ａ，２６ｂが設けられた構成となっている。
【００１４】
また、カバー２３の外面２５には、装着ベルト３を通すためのベルト通し部２７が、カバー２３の左右方向に沿って所定の間隔を隔てて複数設けられている。
【００１５】
装着ベルト３は、留め具付きの長さ調整可能なベルトにより構成される。
装着ベルト３は、例えば、上述した支持部材２の外面２５に設けられた複数のベルト通し部２７，２７…に通されることによって支持部材２の両方の端部２１，２１から延長するように設けられたベルト本体３１と、当該ベルト本体３１の一端３２に設けられて係止爪３３を備えた雄部材３４と当該ベルト本体３１の他端３５に設けられて係止爪３３が係止する係止部３６を備えた雌部材３７とで構成された留め具としてのバックル３８と、ベルト本体３１の長さを調整するためのアジャスター（移動カン）３９とを備えた構成である。
【００１６】
装着ベルト３は、例えば、ベルト本体３１の一端部を雄部材３４のベルト通孔に通して折り返してベルト本体３１の一端側を重合させて縫い合わせて固定することにより、雄部材３４をベルト本体３１の一端部に固定し、ベルト本体３１の他端側を支持部材２の外面２５に設けられた複数のベルト通し部２７及び後述する連結部４の連結部材４２のベルト通し部４４に通した後、アジャスター３９のベルト通孔に通し、さらに雌部材３７のベルト通孔に通して折り返して、再び、アジャスター３９のベルト通孔に通して構成されることで、複数のベルト通し部２７及び後述する連結部４の連結部材４２のベルト通し部４４に通されたベルト本体３１の一端に雄部材３４を備え、当該ベルト本体３１の他端に雌部材３７を備えるように構成される。
そして、当該ベルト本体３１の雌部材３７のベルト通孔から折り返された部分の長さが長くなるように調整することで装着ベルト３の長さを短くでき、かつ、ベルト本体３１の雌部材３７のベルト通孔から折り返された部分の長さ短くなるように調整することで装着ベルト３の長さを長くできるようになっており、人体Ｈの前側における下腹部の位置にてバックル３８の雄部材３４と雌部材３７とを連結することによって、当該装着具１が人体Ｈに装着されるようになっている。
【００１７】
図１（ａ）に示すように、帯状のカバー２３の外面２５に設けられたベルト通し部２７は、例えば４つ設けられる。例えば、カバー２３の左右方向（帯の長さ方向）の両端部２１，２１側にそれぞれベルト通し部２７が設けられるとともに、両端部に設けられた各ベルト通し部２７，２７間をほぼ三等分する２つの位置にそれぞれベルト通し部２７，２７が設けられる。
【００１８】
図４に示すように、連結部４は、体重免荷装置１０３に連結された吊手段としての吊りロープ１０７の下端に取付けられたフックなどの連結具１１２が連結される連結用リング４１と、当該連結用リング４１を支持部材２の端部２１に連結するための連結部材４２とを備える。
連結用リング４１に取付けられた取付片４３が連結部材４２に取付けられている。
連結部材４２には、装着ベルト３のベルト本体３１が通されるベルト通し部（通し孔）４４が形成されている。
【００１９】
図１（ａ）に示すように、一方の連結部材４２を、カバー２３の外面２５における一方の端部２１に設けられた一端部側ベルト通し部２７と当該一端部側ベルト通し部２７と隣り合う一端側中央寄りベルト通し部２７との間に配置するとともに、他方の連結部材４２を、カバー２３の外面２５における他方の端部２１に設けられた他端部側ベルト通し部２７と当該他端部側ベルト通し部２７と隣り合う他端側中央寄りベルト通し部２７との間に配置した状態で、装着ベルト３のベルト本体３１が、カバー２３の外面２５に設けられた複数のベルト通し部２７及び連結部４の連結部材４２のベルト通し部２７に通されることによって、左右の連結部４，４が、支持部材２の左右両側の端部２１，２１にそれぞれ設けられる。
【００２０】
実施形態１の装着具１によれば、支持部材２の内面２４を臀部下側Ｈ１に宛がった状態で、図５，図６に示すように、装着ベルト３の両端に設けられたバックル３８の雄部材３４と雌部材３７とを人体Ｈの前側における下腹部の位置で連結することによって、装着具１を人体Ｈに装着する。
そして、左右の連結部４，４と歩行支援装置１００の体重免荷装置１０３とが連結されることにより、当該歩行支援装置１００を使用する使用者Ａ（図１１参照）は、体重免荷装置１０３により、体重負荷が軽減された状態で歩行可能となる。
【００２１】
実施形態１の装着具１によれば、人体Ｈの臀部Ｈ２のみを支えて吊る方式としたので、構成、及び、使用者への装着作業が簡単な装着具１を提供できる。
また、実施形態１の装着具１によれば、支持部材２が、人体Ｈの臀部下側Ｈ１と対向して人体Ｈを支持する板面を有した可撓性板状部材２２を備えたので、可撓性板状部材２２の板面で人体Ｈの臀部下側Ｈ１を確実に支持できるようになる。
また、実施形態１の装着具１によれば、支持部材２の内面２４が臀部下側Ｈ１に宛がわれた状態で当該支持部材２が吊られた場合、支持部材２の柔らかい内面２４側が臀部下側Ｈ１の形状に追従して変形することによって支持部材２の内面２４と臀部下側Ｈ１全体とが全面接触した状態となり、かつ、可撓性板状部材２２の板面が臀部下側Ｈ１に対向して当該臀部下側Ｈ１全体を板面で支える状態となるので、可撓性板状部材２２が臀部Ｈ２に食い込んでしまう現象を防止できるようになり、長時間使用しても臀部Ｈ２が痛くならないようになる。
即ち、臀部下側Ｈ１に宛がわれる帯状の可撓性板状部材２２として、帯の幅の長さが、５ｃｍ未満程度の細幅の可撓性板状部材を用いた場合、支持部材２が臀部下側Ｈ１に宛がわれた状態で当該支持部材２が吊られた際に、当該可撓性板状部材２２が臀部下側Ｈ１に食い込んでしまって、使用に際して臀部Ｈ２が痛くなってしまう可能性が高いが、実施形態１では、可撓性板状部材２２は、臀部下側Ｈ１の全体を覆うように当該臀部下側Ｈ１に宛がわれるために、上下方向の長さが、臀溝Ｈ４を中心として臀溝Ｈ４近傍の臀部Ｈ２側及び脚Ｈ３側に跨った範囲の長さに対応した長さに形成されている。
つまり、実施形態１では、臀部下側Ｈ１に宛がわれる帯状の可撓性板状部材２２として、帯の幅の長さが太い、例えば１０ｃｍ程度の太幅の可撓性板状部材２２を用いたことによって、可撓性板状部材２２が臀部下側Ｈ１に食い込み難くなり、長時間使用しても臀部Ｈ２が痛くならない装着具１を実現できる。
また、実施形態１の装着具１によれば、支持部材２の外形を形成するとともに可撓性板状部材２２を覆うカバー２３が、左右方向の中央部に、人体Ｈの臀部下側Ｈ１を覆う衣服と接触して人体Ｈの臀部下側Ｈ１に宛がわれた支持部材２の上下方向へのずれを抑制するための滑止部２６を備えているので、支持部材２が臀部下側Ｈ１から外れてしまうことを防止でき、支持部材２で臀部下側Ｈ１を安定に支持できるようになる。
【００２２】
尚、実施形態１では、支持部材２の外面２５に設けられたベルト通し部２７に通されることで、支持部材２の左右両側の端部２１，２１から延長して人体Ｈの前側で連結される装着ベルト３を例示したが、装着ベルトは、支持部材２の左の端部２１に固定されて当該左の端部２１から延長するように設けられた左ベルトと、支持部材２の左の端部２１に固定されて当該左の端部２１から延長するように設けられた右ベルトとを備えた構成であってもよい。
【００２３】
また、実施形態１では、可撓性板状部材２２がカバー２３内に内蔵された構成の支持部材２を例示したが、支持部材は、可撓性板状部材２２の内側の板面２２ｆに、人体Ｈの臀部下側Ｈ１を覆う衣服と接触する厚みのある比較的柔らかい生地等の緩衝部を設けた構成の支持部材であってもよい。
【００２４】
また、実施形態１では、可撓性板状部材２２を備えた構成の支持部材２を例示したが、本発明の装着具１における支持部材は、可撓性板状部材２２を備えずに、例えば、比較的硬い生地等を使用して、上下方向の長さ（帯の幅方向の長さ）が、臀溝Ｈ４を中心として臀溝Ｈ４近傍の臀部Ｈ２側及び脚Ｈ３側に跨った範囲の長さに対応した長さの帯状に形成されたものであってもよい。
【００２５】
実施形態２
実施形態１の装着具１では、装着具１の支持部材２が臀部下側Ｈ１に位置されて装着ベルト３が下腹部の位置で連結されるため、装着具１を人体Ｈに装着した後、左右の連結部４，４と歩行支援装置１００の体重免荷装置１０３とを連結する前に、装着具１が下方に落下する可能性がある。
そこで、図７乃至図１０に示すように、装着具１の落下を防止するために、支持部材２の左右の両端側に連結されるとともに、人体Ｈの胴部Ｈ７に巻き回されて装着される落下防止用装着ベルト６と、当該落下防止用装着ベルト６と支持部材２とを連結する伸縮性メッシュ生地や伸縮性生地等の連結材７とを備えた構成、即ち、実施形態１で説明した装着具１と落下防止用装着ベルト６と連結材７とを備えた構成の装着具１Ａとしてもよい。
【００２６】
落下防止用装着ベルト６は、人体Ｈの胴部Ｈ７の後ろ側に宛がわれる後側ベルト部６１と、後側ベルト部６１の一端及び他端にそれぞれ固定されたアジャスター（移動カン）６２，６３と、一端が支持部材２の一端部２１ａに連結されて他端側がバックル６４の一方の部材としての例えば雄部材６５のベルト通し孔に通された後折り返されて後側ベルト部６１の一端に固定されたアジャスター６２のベルト通し孔に通された後に折り返された左側ベルト部６６と、一端が支持部材２の他端部２１ｂに連結されて他端側がバックル６４の他方の部材としての例えば雌部材６７のベルト通し孔に通された後折り返されて後側ベルト部６１の他端に固定されたアジャスター６３のベルト通し孔に通された後に折り返された右側ベルト部６８とを備えた構成である。
尚、例えば、左側ベルト部６６の一端は支持部材２の一端部２１ａに設けられたベルト通し部６９ａ（図１（ａ）参照）に通された後固定され（図８参照）、また、右側ベルト部６８の一端は支持部材２の他端部２１ｂに設けられたベルト通し部６９ｂ（図１（ａ）参照）に通された後固定されている。
【００２７】
実施形態２の装着具１Ａによれば、落下防止用装着ベルト６の後側ベルト部６１を胴部Ｈ７の後側に回して、左側ベルト部６６に取付けられた雄部材６５と右側ベルト部６８に取付けられた雌部材６７とを胴部Ｈ７の腹側で連結することにより、装着具１の下方への落下が防止される。この場合、落下防止用装着ベルト６の胴回りの長さを、左側ベルト部６６のアジャスター６２のベルト通孔から折り返された部分の長さ、及び、右側ベルト部６８のアジャスター６３のベルト通孔から折り返された部分の長さを調整することによって変更でき、人体Ｈの胴部Ｈ７の寸法に合わせて落下防止用装着ベルト６の長さを調整した後、落下防止用装着ベルト６の前側に設けられたバックル６４の雄部材６５と雌部材６７とを人体Ｈの前側における腹部の位置で連結する。その後、装着具１の支持部材２の内面２４を臀部下側Ｈ１に宛がった状態で、装着ベルト３の両端に設けられたバックル３８の雄部材３４と雌部材３７とを人体Ｈの前側における下腹部の位置で連結することによって、装着具１を人体Ｈに装着する。
【００２８】
実施形態２の装着具１Ａによれば、落下防止用装着ベルト６を備えたので、装着具１が下方に落下してしまうことを防止できる。
また、装着具１と落下防止用装着ベルト６とが連結材７で連結されているので、装着具１と落下防止用装着ベルト６とがばらばらになって装着具１と落下防止用装着ベルト６との関係がわからなくなるような事態を抑制できるようになる。
【００２９】
また、各実施形態においては、装着具１，１Ａを体重免荷式の歩行支援装置１００の装着具として使用する場合を説明したが、本発明の装着具１，１Ａは、体重免荷機能を備えない歩行支援装置、例えば、所謂一般的な歩行器を使用する際の装着具としても使用可能である。この場合でも、歩行支援装置の支持力を連結手段及び力伝達部位を介して人の下半身に伝達することができるので、歩行支援装置を使用している人が膝落ち等で体勢を崩した場合でも、体重が支えられ、転倒を防止できるようになる。
【符号の説明】
【００３０】
１，１Ａ  装着具、２  支持部材、３  装着ベルト、４  連結部、
６  落下防止用装着ベルト、２１  支持部材の端部、２２  可撓性板状部材、
２３  カバー、２６  滑止部、１００  歩行支援装置、Ｈ  人体、Ｈ１  臀部下側、
Ｈ２  臀部、Ｈ３  脚、Ｈ４  臀溝、Ｈ７  胴部。
【図１】
2019080817.tif 000003
【図２】
2019080817.tif 000004
【図３】
2019080817.tif 000005
【図４】
2019080817.tif 000006
【図５】
2019080817.tif 000007
【図６】
2019080817.tif 000008
【図７】
2019080817.tif 000009
【図８】
2019080817.tif 000010
【図９】
2019080817.tif 000011
【図１０】
2019080817.tif 000012
【図１１】
2019080817.tif 000013